(57)【特許請求の範囲】
【請求項１】
入力手段を有し、該入力手段より注文データを入力し伝票番号を付けて格納し、注文データの追加や注文データの取消し要求時、前記伝票番号を基に注文データの追加、注文データの取消しを処理して注文伝票の作成を指示し、会計処理等を行うＰＯＳ装置において、
注文品の追加要求時、追加注文データに前記伝票番号及び追加番号を付けて格納し、
追加注文品の取消し要求時、前記追加番号を指定することにより該追加注文データを一括して削除する手段を設けたことを特徴とするＰＯＳ装置。
【発明の詳細な説明】
【０００１】
【発明の属する技術分野】
本発明は飲食店等におけるＰＯＳ装置に関するもので、特に、追加注文取消し操作を容易にできるＰＯＳ装置に関するものである。
【０００２】
【従来の技術】
従来より、飲食店等ではＰＯＳ装置が使用され、注文データの処理や会計データの処理が行われている。顧客からの注文データは携帯入力端末（以下、「ハンディターミナル」と称する）を操作して入力し、該注文データの処理としては新規注文の際、一括して伝票Ｎｏ．を付け各注文データを管理すると共に、厨房にプリンタ等で印字出力し、注文品の作成を指示していた。追加注文や注文の取消し等の注文データの変更に際しては、前記新規注文の際と同じ操作手順で、追加注文データや取消しデータを入力し、伝票Ｎｏ．を基に注文データを修正して管理している。
【０００３】
また、この種の技術として、特開平８−３２９３４９号公報に開示されたものがある。これは、例えばカレーライス（上位メニュー）の大盛り、コロッケ、スープ付き（下位メニュー）のように、注文データが上位メニューと下位メニューに階層化されている場合の注文データの取消し変更処理手法である。これは注文した上位メニューを指定し取り消すだけで、下位メニューを自動的に削除するようにして取消し手続き操作を簡略化する手法である。
【０００４】
【発明が解決しようとする課題】
しかしながら、上述した従来技術では追加注文の入力の際、誤操作により伝票Ｎｏ．を間違えて入力した場合、修正の為には該伝票を見ながら丹念に該追加注文を再入力し修正しなくてはならない。これらの取消し操作は非常に面倒で煩雑な操作となり、更に入力ミスを犯す危険性があり、店の信用問題となりかねないという問題があった。
【０００５】
また、上記特開平８−３２９３４９号公報に開示された技術においても、追加注文の入力の際、伝票Ｎｏ．を間違えて入力した場合は、その修正には上述したように煩雑な操作が必要となるという問題があった。
【０００６】
本発明は上述の点に鑑みてなされたもので、上記問題点を除去するために追加注文の際、追加Ｎｏ．を付けて格納することにより、追加注文取消操作を容易にしたＰＯＳ装置を提供することを目的とする。
【０００７】
【課題を解決するための手段】
上記課題を解決するため本発明は入力手段を有し、該入力手段より注文データを入力し伝票番号を付けて格納し、注文データの追加や注文データの取消し要求時、伝票番号を基に注文データの追加、注文データの取消しを処理して注文伝票の作成を指示し、会計処理等を行うＰＯＳ装置において、注文品の追加要求時、追加注文データに伝票番号及び追加番号を付けて格納し、追加注文品の取消し要求時、追加番号を指定することにより該追加注文データを一括して削除する手段を設けたことを特徴とする。
【０００８】
【発明の実施の形態】
以下、本発明の実施の形態例を図面に基づいて詳細に説明する。図５は本発明のＰＯＳシステムの構成例を示す図である。図示するように、本発明のＰＯＳシステムはコントローラ１に接続された無線制御ユニット２、キッチンプリンタ３、ＰＯＳレジ装置４及び無線制御ユニット２と無線で交信するハンディターミナル５等を具備する。
【０００９】
ハンディターミナル５は表示部５−１、入力部５−２を有し、従業員は入力部５−２の操作により顧客からの注文データ（注文や取消しデータ）を入力し、該注文データは無線制御ユニット２及びコントローラ１を介して厨房に設置されたキッチンプリンタ３から印字出力され、厨房に注文品の作成を指示する。これらの注文データはハンディターミナル５の表示部５−１に表示される。
【００１０】
コントローラ１はこれらの注文情報を格納し、必要に応じてＰＯＳレジ装置４へ送信し、会計処理や各種レポ−トを作成する。図３は注文データの記憶フォーマットの例を示す図である。本例では新規注文時に伝票Ｎｏ．が付けられ（図では伝票Ｎｏ．１８）、顧客情報として卓番、人数等が入力され、注文情報（注文品名）が入力される。同図は更に１回目の追加注文（追加Ｎｏ．１）及び、２回目の追加注文（追加Ｎｏ．２）がなされた場合の例を示す。
【００１１】
図１はハンディターミナルにおける追加注文取消し動作フローを示す図である。同図に従って追加注文取消し動作を説明する。ハンディターミナル５の入力部５−２にはデータ入力キーの他に追加注文取消キー、送信キー等（図では省略）が設けられており、追加注文を取り消す場合には先ず追加注文取消キーを押下する（ステップＳＴ１１）。続いて、該当する伝票Ｎｏ．を入力し（ステップＳＴ１２）、続いて追加Ｎｏ．を入力する（ステップＳＴ１３）。例えば伝票Ｎｏ．１８、追加Ｎｏ．１と入力する。これらの入力情報を表示部５−１の表示で確認し送信キ−を押下する（ステップＳＴ１４）。
【００１２】
入力情報は無線制御ユニット２を介してコントローラ１へ送信される。コントローラ１はその情報を処理し正当か否かを判断し返信する（詳細は図２で後述）。ハンディターミナル５はコントローラ１からの返信を受信し（ステップＳＴ１５）、取消内容が正当であれば取消操作を終了し（ステップＳＴ１６）、エラー（伝票Ｎｏ．、追加Ｎｏ．等の誤入力）であれば入力をキャンセルし終了し（ステップＳＴ１７）再入力を試みることになる。
【００１３】
図２はコントローラにおける追加注文取消し動作フローを示す図である。コントローラ１ではハンディターミナル５から送信されたデータ（伝票Ｎｏ．及び追加Ｎｏ．）を受信し（ステップＳＴ２１）、既に格納されている注文情報と比較し、伝票Ｎｏ．が一致するか否かを判断し（ステップＳＴ２２）、伝票Ｎｏ．が一致しなければ伝票Ｎｏ．エラーを返信する（ステップＳＴ２３）。伝票Ｎｏ．が一致したら、続いて追加Ｎｏ．が一致するか否かを判断し（ステップＳＴ２４）、追加Ｎｏ．が一致しなければ追加Ｎｏ．エラーを返信し（ステップＳＴ２５）、両方のＮｏ．が見つかれば正常データを受信したことを返信する（ステップＳＴ２６）。
【００１４】
伝票Ｎｏ．及び追加Ｎｏ．から該当する取消データを揃える。例えば伝票Ｎｏ．１８の追加Ｎｏ．１の追加注文情報を取り出す（ステップＳＴ２７）。これらの追加注文情報から注文個数を減算処理し（ステップＳＴ２８）、取消注文を削除、追加回数等の修正を行う（ステップＳＴ２９）。キッチンプリンタ３に図４に示すような取消伝票を出力し取消しを指示し（ステップＳＴ３０）、該当するデ−タを消去し終了する（ステップＳＴ３１）。
【００１５】
図４は注文取消伝票の例を示す図である。注文取消伝票はキッチンプリンタ３から出力され追加注文はキャンセルされる。図示するように、注文取消伝票には、伝票ＮＯ．、卓番、人数、取消の数量、品名、単価が表示され、減算され修正された合計金額が出力される。これらの取消件数、金額等はコントローラ１に記録され、ＰＯＳレジ装置４からの要求に応じて清算レポートとして出力される。
【００１６】
上記例は追加Ｎｏ．単位で一括して取り消す例を述べたものであるが、勿論、単品単位での取消しも従来通り行うことができる。機能及び操作は従来と同じなので説明は省略する。
【００１７】
上述したように本実施例によれば伝票Ｎｏ．及び追加Ｎｏ．を指定し、追加Ｎｏ．単位で一括して追加注文を取り消すことができるので追加注文時のミスの修正が容易になり、又、取消処理時の入力ミスを防ぐことができる。また、指定された追加注文が存在しない場合は、ハンディターミナル５に即座にエラーが通知されるので入力ミスに迅速に対応することができる。
【００１８】
【発明の効果】
以上説明したように本発明によれば、下記のような優れた効果が期待できる。注文品の追加要求時、追加注文データに伝票番号及び追加番号を付け、格納場所に格納し、追加注文品の取消し要求時、追加番号を指定することにより該追加注文データを一括して削除する手段を設けたので、追加注文時の入力ミスの修正が容易になり、又、取消操作時の入力ミスを防ぐことができる。
【図面の簡単な説明】
【図１】ハンディターミナルにおける追加注文取消し動作フローを示す図である。
【図２】コントローラにおける追加注文取消し動作フローを示す図である。
【図３】注文データの記憶フォーマットの例を示す図である。
【図４】注文取消伝票の例を示す図である。
【図５】本発明のＰＯＳシステムの構成例を示す図である。
【符号の説明】
１          コントローラ
２          無線制御ユニット
３          キッチンプリンタ
４          ＰＯＳレジ装置
５          ハンディターミナル
５−１      表示部
５−２      入力部
【図１】
0003860309.tif 000002
【図２】
0003860309.tif 000003
【図３】
0003860309.tif 000004
【図４】
0003860309.tif 000005
【図５】
0003860309.tif 000006